(57)【要約】【課題】無線通信用の通信機器を盤内に収納した分電盤において、無線通信用のアンテナの位置調整作業を簡易化する技術を提供すること。【解決手段】無線通信用の通信機器３を盤内に収納した分電盤において、前記無線通信用のアンテナ６を、前記盤内で、かつ、前記通信機器を収容する筐体外に配置し、前記アンテナ６を、前記盤内の壁面１６に沿わせて、着脱自在に配置するアンテナ取付部材９を備える。【選択図】図２
2016134987.tif 000002
【特許請求の範囲】
【請求項１】
無線通信用の通信機器を盤内に収納した分電盤であって、
前記無線通信用のアンテナを、前記盤内で、かつ、前記通信機器を収容する筐体外に配置し、
前記アンテナを、前記盤内の壁面に沿わせて、着脱自在に配置するアンテナ取付部材を備えた
ことを特徴とする分電盤。
【請求項２】
前記アンテナ取付部材は、
前記盤内に着脱自在に取付られる取付部と、
前記取付部を盤内に取り付ける作業時に、該アンテナ取付部材の回転を防止する回転止め部を備える
ことを特徴とする請求項１記載の分電盤。
【請求項３】
前記アンテナ取付部材は、
前記アンテナが固定される板状のアンテナ固定部を備え、
該アンテナ固定部のうち、アンテナが固定されるアンテナ固定面の裏面側に、前記盤内に着脱自在に取付られる取付部を配置した
ことを特徴とする請求項１記載の分電盤。
【請求項４】
前記アンテナ固定面を、前記盤内の側壁と対峙させて配置した
ことを特徴とする請求項３記載の分電盤。
【請求項５】
前記アンテナ取付部材は、
前記アンテナが固定される板状のアンテナ固定部を備え、
前記回転止め部は、前記アンテナ固定部を前記盤内の機器取付け面方向に突出させて形成され、
前記盤内の機器取付け面には、該回転止め部に当接して、前記アンテナ取付部材の回転を防止させる当接部を備える
ことを特徴とする請求項２記載の分電盤。
【請求項６】
前記盤内の機器取付け面には、機器取付け用のネジ孔部を複数有し、
該ネジ孔部の少なくとも何れかを、前記当接部として用いることを特徴とする請求項５記載の分電盤。
【請求項７】
前記盤内の機器取付け面には、機器取付け用のネジ孔部を複数有し、
該ネジ孔部の少なくとも何れかに、前記アンテナ取付部材の取付部を取り付けることを特徴とする請求項１記載の分電盤。
【発明の詳細な説明】
【技術分野】
【０００１】
本発明は、無線通信用の通信機器を盤内に収納した分電盤に関するものである。
【背景技術】
【０００２】
盤内に、無線通信用の通信機器を収容した分電盤が知られている（特許文献１）。
【０００３】
無線通信はアンテナを介して行われるが、特許文献１の技術では、無線通信用のアンテナは通信機器の内部に収容されている。
【０００４】
しかし、盤内で定位置に固定配置される通信機器の内部にアンテナが収容されていると、その位置で電波が受信し難い場合でも、アンテナを、電波の受信しやすい位置を探りながら移動させることができず、不都合であるという問題があった。
【０００５】
なお、アンテナを通信機器の外部に取り出して、分電盤内の壁面に配置する構造も知られているが、従来のこのような構造では、両面テープを使用してアンテナを固定しているため、一旦、アンテナを分電盤内に固定した後に、電波の受信状況等が変化してアンテナの位置調整が必要となった場合には、両面テープを引き剥がす作業や、電波の受信しやすい位置を探りながらアンテナを移動させた後、再度、両面テープを用意して固定する作業が必要となり、アンテナの位置調整作業に手間がかかるという問題があった。
【先行技術文献】
【特許文献】
【０００６】
【特許文献１】特開２００４−２８２８０１号公報
【発明の概要】
【発明が解決しようとする課題】
【０００７】
本発明の目的は前記の問題を解決し、無線通信用の通信機器を盤内に収納した分電盤において、無線通信用のアンテナの位置調整作業を簡易化する技術を提供することである。
【課題を解決するための手段】
【０００８】
本発明では、上記課題を解決するための手段として、無線通信用の通信機器を盤内に収納した分電盤において、前記無線通信用のアンテナを、前記盤内で、かつ、前記通信機器を収容する筐体外に配置し、前記アンテナを、前記盤内の壁面に沿わせて、着脱自在に配置するアンテナ取付部材を備える構成を採用した。
【０００９】
請求項２記載の発明は、請求項１記載の分電盤において、前記アンテナ取付部材は、前記盤内に着脱自在に取付られる取付部と、前記取付部を盤内に取り付ける作業時に、該アンテナ取付部材の回転を防止する回転止め部を備えることを特徴とするものである。
【００１０】
請求項３記載の発明は、請求項１記載の分電盤において、前記アンテナ取付部材は、前記アンテナが固定される板状のアンテナ固定部を備え、該アンテナ固定部のうち、アンテナが固定されるアンテナ固定面の裏面側に、前記盤内に着脱自在に取付られる取付部を配置したことを特徴とするものである。
【００１１】
請求項４記載の発明は、請求項３記載の分電盤において、前記アンテナ固定面を、前記盤内の側壁と対峙させて配置したことを特徴とするものである。
【００１２】
請求項５記載の発明は、請求項２記載の分電盤において、前記アンテナ取付部材は、前記アンテナが固定される板状のアンテナ固定部を備え、前記回転止め部は、前記アンテナ固定部を前記盤内の機器取付け面方向に突出させて形成され、前記盤内の機器取付け面には、該回転止め部に当接して、前記アンテナ取付部材の回転を防止させる当接部を備えることを特徴とするものである。
【００１３】
請求項６記載の発明は、請求項５記載の分電盤において、前記盤内の機器取付け面には、機器取付け用のネジ孔部を複数有し、該ネジ孔部の少なくとも何れかを、前記当接部として用いることを特徴とするものである。
【００１４】
請求項７記載の発明は、請求項１記載の分電盤において、前記盤内の機器取付け面には、機器取付け用のネジ孔部を複数有し、該ネジ孔部の少なくとも何れかに、前記アンテナ取付部材の取付部を取り付けることを特徴とするものである。
【発明の効果】
【００１５】
本発明では、無線通信用の通信機器を盤内に収納した分電盤において、前記無線通信用のアンテナを、前記盤内で、かつ、前記通信機器を収容する筐体外に配置し、前記アンテナを、前記盤内の壁面に沿わせて、着脱自在に配置するアンテナ取付部材を備える構成を採用しているため、一旦、アンテナを分電盤内に固定した後に、電波の受信状況等が変化してアンテナの位置調整が必要となった場合にも、アンテナ取付部材の着脱作業という簡易な作業によって、アンテナの位置調整を行うことができる。
【００１６】
請求項２記載の発明のように、アンテナ取付部材が、盤内に着脱自在に取付られる取付部と、この取付部を盤内に取り付ける作業時に、アンテナ取付部材の回転を防止する回転止め部を備える構成とすることにより、アンテナ取付部材をネジ止めによって盤内に取り付ける場合でも、ネジの締め付け時に発生する締付トルクによってアンテナ取付部材が回転してしまう現象を回避することができる。
【００１７】
請求項３記載の発明のように、アンテナ取付部材が、板状のアンテナ固定部を備え、このアンテナ固定部のうち、アンテナが固定されるアンテナ固定面の裏面側に、盤内に着脱自在に取付られる取付部を配置した構成とすることにより、アンテナ固定部に固定されているアンテナが、アンテナ取付部材を盤内に取付ける作業の邪魔になることなく、作業性の向上を図ることができる。
【００１８】
分電盤の盤内には、分岐ブレーカや通信機器に繋がる電線が多数配線されているが、請求項４記載の発明のように、アンテナ固定面を、前記盤内の側壁と対峙させて配置した構成とすることにより、アンテナは、盤内の側壁とアンテナ取付部材のアンテナ固定面との間に配置されることとなるため、アンテナが、前記した多数の配線と接触するリスクを回避することができる。
【００１９】
請求項５記載の発明のように、アンテナ取付部材は、アンテナが固定される板状のアンテナ固定部を備え、回転止め部が、前記アンテナ固定部を前記盤内の機器取付け面方向に突出させて形成され、盤内の機器取付け面には、回転止め部に当接して、アンテナ取付部材の回転を防止させる当接部を備える構成とすることにより、簡易な構成で、請求項２の効果を奏することができる。
【００２０】
請求項６記載の発明のように、盤内の機器取付け面に、機器取付け用のネジ孔部を複数有し、このネジ孔部の少なくとも何れかを、当接部として用いる構成としたり、請求項７記載の発明のように、盤内の機器取付け面に、機器取付け用のネジ孔部を複数有し、このネジ孔部の少なくとも何れかに、アンテナ取付部材の取付部を取り付ける構成とすることにより、機器取付け用のネジ孔部を複数有する既存の分電盤を利用して、アンテナ取付部材を備えた本発明の分電盤を構成することができる。
【図面の簡単な説明】
【００２１】
【図１】分電盤の内部概略構造を示す正面図である。
【図２】図１の要部拡大図である。
【図３】アンテナ取付部材を、取付部側から見た斜視図である。
【図４】アンテナ取付部材を、アンテナ固定面側から見た斜視図である。
【図５】図１においてアンテナの取り付け位置を変更した状態を示す図である。
【発明を実施するための形態】
【００２２】
以下に本発明の好ましい実施形態を示す。
【００２３】
図１に示すように、本実施形態の分電盤は、主幹ブレーカ１、分岐ブレーカ２を収容した筺体１０内に、主幹ブレーカ１や分岐ブレーカ２の電流情報を取得して外部に通信する通信機器３を備えている。
【００２４】
通信機器３は、電源を得るために、導電バー４に接続され、また、前記の電流情報を得るために、電流センサに接続されている。
【００２５】
通信機器３には、通信機器３から引き出されたアンテナ線５を介してアンテナ６が接続され、前記の電流情報が、アンテナ６から分電盤の外部へ向けて無線通信される。
【００２６】
主幹ブレーカ１、分岐ブレーカ２、通信機器３等の内部機器は、盤内背面側の機器取付け面に取り付けられている。
【００２７】
この機器取付け面の端部付近には、アース端子台７をネジ止めするためのネジ孔部８が複数形成されており、様々な設置環境に応じて、最適なネジ孔部８を使用して、アース端子台７等の取り付け位置を適宜選択できる設計となっている。
【００２８】
本実施形態のネジ孔部８は、図２に示すように、機器取付け面から突出して形成されている。
【００２９】
前記のアンテナ６は、アンテナ取付部材９を介して、筺体１０の側壁付近に形成される空間で、筺体１０の側壁面に沿わせるように、着脱自在に配置されている。なお、本明細書において、「筺体１０の側壁面に沿わせるように」とは、「筺体１０の側壁面上に」の意味に限定されず、アンテナ取付部材９と筺体１０の側壁面が、略平行に配置される状態を意味するものとする。
【００３０】
アンテナ取付部材９は、図３に示すように、盤内の機器取付け面と着脱自在に取付られる取付部１１と、取付部１１を盤内に取り付ける作業時に、アンテナ取付部材９の回転を防止する回転止め部１２を備えている。また、アンテナ取付部材９は、図４に示すように、板状のアンテナ固定部１３を備え、このアンテナ固定部１３のうち、アンテナ６が固定されるアンテナ固定面１４の裏面側に、前記の取付部１１が配置されている。アンテナ６の固定方法は特に限定されないが、本実施形態では両面テープを使用している。
【００３１】
本実施形態では、アンテナ固定面１４を、図２に示すように、筺体１０の側壁１６と対峙させて配置し、アンテナ６を、盤内の側壁１６とアンテナ取付部材９のアンテナ固定面１４との間に配置する構造としている。分電盤の盤内には、分岐ブレーカや通信機器に繋がる電線が多数配線されているが、当該構造とすることにより、アンテナ６が、これらの配線と接触するリスクを回避することができる。また、当該構造によれば、ネジを緩めるときにアンテナ取付部材が回転することを防ぐ効果や、アンテナ取付部材を取付ける際に位置決めしやすいといった効果も期待できる。
【００３２】
図２、３に示すように、取付部１１には、前記のネジ孔部８と重ねてネジ止めされる貫通孔１５が形成されている。
【００３３】
本実施形態では、貫通孔１５を２カ所に形成し、このうち何れか一方の貫通孔１５を用いて、アンテナ取付部材９を、機器取付け面に着脱自在にネジ止めしている。
【００３４】
貫通孔１５の形成箇所を、１所カ所にすることもできるが、本実施形態のように２カ所に形成しておくことにより、これらの貫通孔１５と、複数のネジ孔部８との組み合わせによって、アンテナ取付部材９の取り付け位置を、柔軟に調整できるため、例えば、図１や図５に示すように、アンテナ６の位置を、電波をより受信しやすい位置に変更することができる。
【００３５】
なお、取付部１１専用のネジ孔部を筐体に形成することもできるが、本実施形態のように、既存のネジ孔部８を利用することにより、製作コストの低減を図ることができる。
【００３６】
なお、その他の実施形態として、回転止め部１２を形成しない簡易な構造として、２カ所の貫通孔１５を同時に使用してアンテナ取付部材９のネジ止めを行うこともできる。この場合、まず、双方の貫通孔１５にネジを通して、仮留した上で、ネジの締め付けを行うため、ネジの締め付け時に発生する締付トルクによってアンテナ取付部材が回転してしまう現象は生じない。
【００３７】
本実施形態では、アンテナ固定部１３の下端をアンテナ固定面１４の裏面側に折り曲げて取付部１１を形成している。このような構造とすることにより、予め、アンテナ６が固定されたアンテナ取付部材９を盤内にネジ止めする際、アンテナ固定面１４に固定されたアンテナ６が、ネジ止め作業用の工具（ドライバ）と干渉することを防ぐことができる。
【００３８】
また、本実施形態では、アンテナ固定部１３を盤内の機器取付け面方向に突出させて回転止め部１２を形成している。本実施形態では、ネジ孔部８の側面を当接部１７とし、回転止め部１２は、機器取付け面に複数突出形成された前記のネジ孔部８のうちの何れかの当接部１７と当接して回転止め作用を奏する。なお、筐体背面に、回転止め部１２を支持させるための溝を形成する等、回転止め部１２専用の当接部１７を筐体に形成することもできるが、本実施形態のように、既存のネジ孔部８を利用することにより、製作コストの低減を図ることができる。
【符号の説明】
【００３９】
１  主幹ブレーカ
２  分岐ブレーカ
３  通信機器
４  導電バー
５  アンテナ線
６  アンテナ
７  アース端子台
８  ネジ孔部
９  アンテナ取付部材
１０  筺体
１１  取付部
１２  回転止め部
１３  アンテナ固定部
１４  アンテナ固定面
１５  貫通孔
１６  側壁
１７  当接部
【図１】
2016134987.tif 000003
【図２】
2016134987.tif 000004
【図３】
2016134987.tif 000005
【図４】
2016134987.tif 000006
【図５】
2016134987.tif 000007